(57)【特許請求の範囲】
【請求項１】
画像を表示する取得対象の画像表示装置にて予め定められた画像を表示させたときの色値を取得する色値取得部と、
前記色値取得部により取得された色値から、前記取得対象の画像表示装置の予め定められた色表現に関する値を導出する色特性値導出部と、
前記色特性値導出部により導出された前記色表現に関する値の中から、調整対象の画像表示装置の画像を色調整するための共通の補正項目を選択する補正項目選択部と、
前記補正項目選択部により選択された前記補正項目について、前記調整対象の画像表示装置にて画像を色調整するときの共通目標となる色表現に関する値である目標特性値を設定する目標特性値設定部と、
前記目標特性値設定部により設定された前記目標特性値に前記色表現に関する値を補正するための共通の補正係数を導出する補正係数導出部と、
前記補正係数導出部により導出された補正係数を基に、前記調整対象の画像表示装置の画像の色調整を行なうために入力画像信号を変換する色変換プロファイルを作成する色変換プロファイル作成部と、
を備えることを特徴とする色調整装置。
【請求項２】
前記色変換プロファイル作成部により作成された色変換プロファイルを使用して、前記入力画像信号を変換する色変換部をさらに備えることを特徴とする請求項１に記載の色調整装置。
【請求項３】
前記目標特性値設定部は、前記取得対象の画像表示装置が使用される頻度を反映した重み付けをして前記目標特性値を設定することを特徴とする請求項１または２に記載の色調整装置。
【請求項４】
前記補正項目選択部は、前記補正項目として、前記取得対象の画像表示装置にて黒色画像を表示させたときの輝度、当該取得対象の画像表示装置にて白色画像を表示させたときの色温度、当該取得対象の画像表示装置の色域形状の中から少なくとも１つを選択することを特徴とする請求項１乃至３の何れか１項に記載の色調整装置。
【請求項５】
前記色値取得部は、予め定められた画像を表示させたときの色値として、前記取得対象の画像表示装置にて白色画像を表示したときの色値、当該取得対象の画像表示装置にて黒色画像を表示したときの色値および当該取得対象の画像表示装置にて主要色を表示したときの当該主要色の色値を取得することを特徴とする請求項１乃至４の何れか１項に記載の色調整装置。
【請求項６】
画像を表示する取得対象の画像表示装置と、
前記取得対象の画像表示装置にて予め定められた画像を表示させたときの色値を取得する色値取得部と、
前記色値取得部により取得された色値から、前記取得対象の画像表示装置の予め定められた色表現に関する値を導出する色特性値導出部と、
前記色特性値導出部により導出された前記色表現に関する値の中から、調整対象の画像表示装置の画像を色調整するための共通の補正項目を選択する補正項目選択部と、
前記補正項目選択部により選択された前記補正項目について、前記調整対象の画像表示装置にて画像を色調整するときの共通目標となる色表現に関する値である目標特性値を設定する目標特性値設定部と、
前記目標特性値設定部により設定された前記目標特性値に前記色表現に関する値を補正するための共通の補正係数を導出する補正係数導出部と、
前記補正係数導出部により導出された補正係数を基に、前記調整対象の画像表示装置の画像の色調整を行なうために入力画像信号を変換する色変換プロファイルを作成する色変換プロファイル作成部と、
を備えることを特徴とする色調整システム。
【請求項７】
コンピュータに、
画像を表示する取得対象の画像表示装置にて予め定められた画像を表示させたときの色値を取得する機能と、
取得された色値から、前記取得対象の画像表示装置の予め定められた色表現に関する値を導出する機能と、
導出された前記色表現に関する値の中から、調整対象の画像表示装置の画像を色調整するための共通の補正項目を選択する機能と、
選択された前記補正項目について、前記調整対象の画像表示装置にて画像を色調整するときの共通目標となる色表現に関する値である目標特性値を設定する機能と、
設定された前記目標特性値に前記色表現に関する値を補正するための共通の補正係数を導出する機能と、
導出された補正係数を基に、前記調整対象の画像表示装置の画像の色調整を行なうために入力画像信号を変換する色変換プロファイルを作成する機能と、
を実現させるプログラム。
【発明の詳細な説明】
【技術分野】
【０００１】
本発明は、色調整装置、色調整システム、プログラムに関する。
【背景技術】
【０００２】
特許文献１には、入力信号の色再現域を、より狭いデバイスの色再現域にマッピングする場合、入力信号およびデバイスの色再現域の共通領域を抽出し、入力信号の色再現域をデバイスの色再現域にマッピングする際に、入力信号の色再現域から共通領域を除いた非共通領域を、デバイスの色再現域から共通領域を除いた領域へマッピングするカラー処理装置が開示されている。
また特許文献２には、第１および第２の画像出力手段で表示される黒色の色空間上の値を差し引いた色空間から色変換パラメータを予め求め、第１の画像出力手段に出力される色空間上の画像データから第１の画像出力手段で表される黒色の色空間上の値を減算し、色変換パラメータを用いて色変換を行い、第２の画像出力手段で表示される黒色の色空間上の値を加算することによって、画像データの色変換を行う色補正処理方法が開示されている。
さらに特許文献３には、各出力デバイスの色再現領域全体まで使って入力デバイスの色データを出力デバイスの色データにマッピングするように工夫したので、マッピングされた色の再現領域が小さくなることがない画像処理方法が開示されている。
【先行技術文献】
【特許文献】
【０００３】
【特許文献１】特開２００３−１５３０２０号公報
【特許文献２】特開２００１−３６７５８号公報
【特許文献３】特開２０１１−１５５４９６号公報
【発明の概要】
【発明が解決しようとする課題】
【０００４】
ここで、調整対象の画像表示装置に画像を表示させたときに、色表現が取得対象の画像表示装置により近いことが望ましい。
【課題を解決するための手段】
【０００５】
請求項１に記載の発明は、画像を表示する取得対象の画像表示装置にて予め定められた画像を表示させたときの色値を取得する色値取得部と、前記色値取得部により取得された色値から、前記取得対象の画像表示装置の予め定められた色表現に関する値を導出する色特性値導出部と、前記色特性値導出部により導出された前記色表現に関する値の中から、調整対象の画像表示装置の画像を色調整するための共通の補正項目を選択する補正項目選択部と、前記補正項目選択部により選択された前記補正項目について、前記調整対象の画像表示装置にて画像を色調整するときの共通目標となる色表現に関する値である目標特性値を設定する目標特性値設定部と、前記目標特性値設定部により設定された前記目標特性値に前記色表現に関する値を補正するための共通の補正係数を導出する補正係数導出部と、前記補正係数導出部により導出された補正係数を基に、前記調整対象の画像表示装置の画像の色調整を行なうために入力画像信号を変換する色変換プロファイルを作成する色変換プロファイル作成部と、を備えることを特徴とする色調整装置である。
【０００６】
請求項２に記載の発明は、前記色変換プロファイル作成部により作成された色変換プロファイルを使用して、前記入力画像信号を変換する色変換部をさらに備えることを特徴とする請求項１に記載の色調整装置である。
請求項３に記載の発明は、前記目標特性値設定部は、前記取得対象の画像表示装置が使用される頻度を反映した重み付けをして前記目標特性値を設定することを特徴とする請求項１または２に記載の色調整装置である。
請求項４に記載の発明は、前記補正項目選択部は、前記補正項目として、前記取得対象の画像表示装置にて黒色画像を表示させたときの輝度、当該取得対象の画像表示装置にて白色画像を表示させたときの色温度、当該取得対象の画像表示装置の色域形状の中から少なくとも１つを選択することを特徴とする請求項１乃至３の何れか１項に記載の色調整装置である。
請求項５に記載の発明は、前記色値取得部は、予め定められた画像を表示させたときの色値として、前記取得対象の画像表示装置にて白色画像を表示したときの色値、当該取得対象の画像表示装置にて黒色画像を表示したときの色値および当該取得対象の画像表示装置にて主要色を表示したときの当該主要色の色値を取得することを特徴とする請求項１乃至４の何れか１項に記載の色調整装置である。
【０００７】
請求項６に記載の発明は、画像を表示する取得対象の画像表示装置と、前記取得対象の画像表示装置にて予め定められた画像を表示させたときの色値を取得する色値取得部と、前記色値取得部により取得された色値から、前記取得対象の画像表示装置の予め定められた色表現に関する値を導出する色特性値導出部と、前記色特性値導出部により導出された前記色表現に関する値の中から、調整対象の画像表示装置の画像を色調整するための共通の補正項目を選択する補正項目選択部と、前記補正項目選択部により選択された前記補正項目について、前記調整対象の画像表示装置にて画像を色調整するときの共通目標となる色表現に関する値である目標特性値を設定する目標特性値設定部と、前記目標特性値設定部により設定された前記目標特性値に前記色表現に関する値を補正するための共通の補正係数を導出する補正係数導出部と、前記補正係数導出部により導出された補正係数を基に、前記調整対象の画像表示装置の画像の色調整を行なうために入力画像信号を変換する色変換プロファイルを作成する色変換プロファイル作成部と、を備えることを特徴とする色調整システムである。
【０００８】
請求項７に記載の発明は、コンピュータに、画像を表示する取得対象の画像表示装置にて予め定められた画像を表示させたときの色値を取得する機能と、取得された色値から、前記取得対象の画像表示装置の予め定められた色表現に関する値を導出する機能と、導出された前記色表現に関する値の中から、調整対象の画像表示装置の画像を色調整するための共通の補正項目を選択する機能と、選択された前記補正項目について、前記調整対象の画像表示装置にて画像を色調整するときの共通目標となる色表現に関する値である目標特性値を設定する機能と、設定された前記目標特性値に前記色表現に関する値を補正するための共通の補正係数を導出する機能と、導出された補正係数を基に、前記調整対象の画像表示装置の画像の色調整を行なうために入力画像信号を変換する色変換プロファイルを作成する機能と、を実現させるプログラムである。
【発明の効果】
【０００９】
請求項１の発明によれば、本構成を有していない場合に比較して、調整対象の画像表示装置に画像を表示させたときに、色表現を取得対象の画像表示装置により近くすることができる色調整装置が提供できる。
請求項２の発明によれば、本構成を有していない場合に比較して、色変換も行なうことができる色調整装置が提供できる。
請求項３の発明によれば、本構成を有していない場合に比較して、使用する頻度が高い取得対象の画像表示装置により近い色表現で画像を調整することができる。
請求項４の発明によれば、本構成を有していない場合に比較して、色表現に影響を与えやすい特性値を使用して調整対象の画像表示装置の画像を調整することができる。
請求項５の発明によれば、本構成を有していない場合に比較して、予め定められた特性値が導出しやすくなる。
請求項６の発明によれば、本構成を有していない場合に比較して、調整対象の画像表示装置に画像を表示させたときに、色表現を取得対象の画像表示装置により近くすることができる色調整システムが提供できる。
請求項７の発明によれば、本構成を有していない場合に比較して、調整対象の画像表示装置に画像を表示させたときに、色表現を取得対象の画像表示装置により近くすることができる機能をコンピュータにより実現できる。
【図面の簡単な説明】
【００１０】
【図１】本実施の形態が適用される色調整システムの全体構成例を示したものである。
【図２】端末装置のハードウェア構成を示した図である。
【図３】（ａ）〜（ｂ）は、本実施の形態の色調整装置についての機能構成例を説明した図である。
【図４】第１色変換プロファイル作成部の機能構成例を説明した図である。
【図５】第１色変換プロファイル作成部の動作例について説明したフローチャートである。
【図６】補正項目選択部により黒輝度が補正項目として選択された場合に、目標特性値設定部が、この黒輝度について目標特性値を設定する手順を説明した図である。
【図７】補正項目選択部により色温度が補正項目として選択された場合に、目標特性値設定部が、この色温度について目標特性値を設定する手順を説明した図である。
【図８】モニタで設定できる色温度の上限値と下限値の例を示した図である。
【図９】補正項目選択部により色域形状が補正項目として選択された場合に、目標特性値設定部が、色域形状について目標特性値を設定する手順を説明した図である。
【図１０】本実施の形態の色調整装置についての機能構成例の他の場合を説明した図である。
【発明を実施するための形態】
【００１１】
以下、添付図面を参照して、本発明の実施の形態について詳細に説明する。
図１は、本実施の形態が適用される色調整システム１の全体構成例を示したものである。
ここで図示した色調整システム１は、端末装置１０ａ、１０ｂ、１０ｃ、１０ｄと、端末装置１０ａ、１０ｂ、１０ｃ、１０ｄに接続されるネットワーク３０とにより構成されている。なお以下の説明において、端末装置１０ａ、１０ｂ、１０ｃ、１０ｄをそれぞれ区別する必要がないときは、これを端末装置１０と称することにする。また、図には、４つの端末装置１０しか示していないが、５つ以上の端末装置１０を設けてもよい。
【００１２】
端末装置１０は、詳しくは後述するが、予め定められた画像を表示するモニタを有するコンピュータ装置である。ここで、端末装置１０としては、ＰＣ（Personal Computer）を例示することができる。
【００１３】
ネットワーク３０は、端末装置１０同士の情報通信に用いられる通信手段であり、例えば、ＬＡＮ（Local Area Network）である。なお本実施の形態では、ネットワーク３０は、必ずしも必要ではなく、端末装置１０ａ、１０ｂ、１０ｃ、１０ｄのそれぞれがいわゆるスタンドアローンであってもよい。
【００１４】
次に、端末装置１０のハードウェア構成について説明する。
図２は、端末装置１０のハードウェア構成を示した図である。
図示するように、端末装置１０は、演算手段であるＣＰＵ（Central Processing Unit）１１と、記憶手段であるメインメモリ１２、およびＨＤＤ（Hard Disk Drive）１３とを備える。ここで、ＣＰＵ１１は、ＯＳ（Operating System）やアプリケーション等の各種ソフトウェアを実行する。また、メインメモリ１２は、各種ソフトウェアやその実行に用いるデータ等を記憶する記憶領域であり、ＨＤＤ１３は、各種ソフトウェアに対する入力データや各種ソフトウェアからの出力データ等を記憶する記憶領域である。
【００１５】
さらに、端末装置１０は、外部との通信を行うための通信インターフェース（以下、「通信Ｉ／Ｆ」と表記する）１４と、ビデオメモリやディスプレイ等からなり、画像を表示する画像表示装置の一例であるモニタ１５と、キーボードやマウス等の入力デバイス１６とを備える。なおここでモニタ１５は、ＰＣ用の液晶モニタやブラウン管モニタなどに限られるものではなく、プロジェクタやテレビ用の液晶ディスプレイ、プラズマディスプレイなども含む。またモニタ１５は、１台の端末装置１０について１つであるであるとは限らず複数備えられていてもよい。
【００１６】
ここで、モニタ１５に表示される画像は、端末装置１０ａの各モニタ１５毎に全て同様の色表現で表示されることが望ましい。一般的には、例えば、入力画像信号をｓＲＧＢの色空間による色信号とし、そしてモニタ１５においてｓＲＧＢの色空間に対応したものを使用すれば、各モニタ１５についての画像は、同様の色表現になりやすくなる。
【００１７】
しかしながら各モニタ１５について、同じｓＲＧＢの入力画像信号を入力しても、デバイス特性がそれぞれ異なるため、これに起因してモニタ１５で表示される画像は、同様の色表現とはならないのが実情である。このデバイス特性は、モニタ１５の製造者や型番が異なれば異なるものである。さらに同様の製造者の同様の型番のものでも製造時のばらつきや、経年変化によりやはりデバイス特性が異なるのが通常である。
【００１８】
そこで本実施の形態では、端末装置１０に内蔵される色調整装置１００を設け、この色調整装置１００により、予め定められたデバイス特性の中からより有用な補正項目を選択し、この補正項目について各モニタ１５で共通の目標特性値を設定して入力画像信号を補正することで、より同様の色表現を得られるようにしている。
以下、この事項についてさらに詳しく説明を行なう。
【００１９】
図３（ａ）〜（ｂ）は、本実施の形態の色調整装置１００についての機能構成例を説明した図である。
図３（ａ）に示した色調整装置１００は、予め定められた第１の色変換プロファイル（変換関係）を使用して、入力画像信号を変換する色変換部の一例としての第１色変換部１１０と、第２色変換部１２０と、第１色変換プロファイル作成部１３０と、第２色変換プロファイル作成部１４０とを備える。なおここでは、本実施の色調整装置１００を構成するものではないが、出力画像信号により画像を表示するモニタ１５についても併せて図示している。
【００２０】
第１色変換部１１０は、入力画像信号について、１回目の色変換を行なう。ここで第１色変換部１１０は、各モニタ１５で共通に選択された補正項目について、デバイス特性を共通に補正するための第１の色変換プロファイルを用いて入力画像信号を補正する。即ち、第１色変換部１１０では、モニタ１５が異なってもこの第１の色変換プロファイルを用いて共通に入力画像信号を補正する。なおここでは、ＲＧＢ表色系によるＲＧＢ色信号をＸＹＺ表色系によるＸＹＺ色信号に変換している。また入力されたＲＧＢ色信号を第１色変換部１１０で標準的なＲＧＢ色空間の色信号としてｓＲＧＢ色信号に変換した後、ＸＹＺ色信号に変換してもよい。
【００２１】
第２色変換部１２０は、２回目の色変換を行ない、第１色変換部１１０で変換された入力色信号を、予め定められた第２の色変換プロファイルを用いて出力画像信号に変換する。第２色変換部１２０は、第１色変換部１１０で補正を行なったデバイス特性以外のデバイス特性について、個々のモニタ１５に合わせた補正を行なう。即ち、第２色変換部１２０では、各モニタ１５毎に異なる補正を行なう。そのため第２の色変換プロファイルは、各モニタ１５毎に異なる。そしてモニタ１５毎のデバイス特性を用いて補正する。なおここでは、ＸＹＺ色信号をＲＧＢ色信号に変換し、出力画像信号としている。
【００２２】
つまり本実施の形態では、モニタ１５での色表現に影響を与えやすいデバイス特性を共通の補正項目として選択し、そして第１色変換部１１０にて、この補正項目についてまず共通の色変換を行なう。そして第２色変換部１２０にて、その他のデバイス特性について個々のモニタ１５に合わせた色変換を行なっている。そして図示するようにモニタ１５は、色調整装置１００による色変換後の出力画像信号により画像を表示する。
【００２３】
第１色変換プロファイル作成部１３０は、第１色変換部１１０で使用される第１の色変換プロファイルを作成する。第１色変換プロファイル作成部１３０については、この後さらに詳しく説明する。
【００２４】
第２色変換プロファイル作成部１４０は、第２色変換部１２０で使用される第２の色変換プロファイルを作成する。
【００２５】
なお図３（ｂ）に示すように、図３（ａ）の第１色変換部１１０と第２色変換部１２０とを統合し、１つの色変換処理部１５０としてもよい。この場合、入力画像信号は、色変換プロファイル作成部１６０により作成された色変換プロファイルを使用して色変換処理部１５０により直接出力画像信号に変換される。
【００２６】
図４は、第１色変換プロファイル作成部１３０の機能構成例を説明した図である。
図示するように第１色変換プロファイル作成部１３０は、色値取得部１３１と、特性値導出部（色特性値導出部）１３２と、補正項目選択部１３３と、目標特性値設定部１３４と、補正係数導出部１３５と、第１の色変換プロファイル導出部１３６とを備える。
【００２７】
色値取得部１３１は、モニタ１５にて予め定められた画像を表示させたときの色値を複数のモニタ１５から取得する。本実施の形態では、色値取得部１３１は、予め定められた画像を表示させたときの色値として、モニタ１５にて白色画像を表示したときの色値、モニタ１５にて黒色画像を表示したときの色値、およびモニタ１５にて主要色を表示したときのこの主要色の色値を取得する。
より具体的には、色調整システム１を管理する管理者が、これらの色値を予め定められた測定器により測定し、色調整装置１００に対し、入力デバイス１６等を用いて入力する。なおここで主要色は、モニタ１５で画像を表示するために使用される色であり、通常はＲ（Ｒｅｄ）色、Ｇ（Ｇｒｅｅｎ）色、Ｂ（Ｂｌｕｅ）色の３つである。色値取得部１３１は、このＲＧＢの階調値を変更し、ＲＧＢ各色が飽和色となったときの色値を主要色の色値として取得する。
【００２８】
特性値導出部１３２は、色値取得部１３１により取得された色値から、モニタ１５の予め定められた特性値（デバイス特性の値）を導出する。
ここで予め定められた特性値とは、詳しくは後述するが、例えば、モニタ１５にて黒色画像を表示させたときの輝度（黒輝度）、モニタ１５にて白色画像を表示させたときの色温度、モニタ１５の色域形状である。これらの特性値は、上述した色値の値であったり、予め定められた計算式を用いることで導出することができる。
【００２９】
補正項目選択部１３３は、特性値導出部１３２により導出された特性値の中から、モニタ１５の画像を色調整するための共通の補正項目を選択する。
詳しくは後述するが、例えば、上記の黒輝度、色温度、色域形状の中からモニタ１５毎のばらつきが大きいものを補正項目として選択する。よってこれら３つの全てが補正項目として選択されることもある一方で、１つのみが選択されることもある。
【００３０】
目標特性値設定部１３４は、補正項目選択部１３３により選択された補正項目について、モニタ１５にて画像を色調整するときの共通目標となる特性値である目標特性値を設定する。
つまりここでは、特性値の中から選択された補正項目について、特性値を合わせるために共通の目標値を設定する。
【００３１】
補正係数導出部１３５は、目標特性値設定部１３４により設定された目標特性値に特性値を補正するための共通の補正係数を導出する。
つまり例えば、上記の黒輝度、色温度、色域形状の少なくとも１つについて目標特性値に特性値を補正するための補正係数を導出する。
【００３２】
第１の色変換プロファイル導出部１３６は、色変換プロファイル作成部の一例であり、補正係数導出部１３５により導出された補正係数を基に、モニタ１５に色調整を行なうために入力画像信号を変換する共通の変換関係を作成する。ここで変換関係は、第１の色変換プロファイルであり、図３（ａ）の例では、第１色変換部１１０で入力画像信号を変換するのに使われる。この第１の色変換プロファイルは、より具体的には、例えば、多次元テーブルであるＤＬＵＴ（Direct Look Up Table）、Ｍａｔｒｉｘ、一次元ＬＵＴ（Look Up Table）などの形式になっている。
【００３３】
図５は、第１色変換プロファイル作成部１３０の動作例について説明したフローチャートである。
以下図４および図５を使用して第１色変換プロファイル作成部１３０の動作について説明を行なう。
【００３４】
まず色値取得部１３１が、複数のモニタ１５から予め定められた色値を取得する（ステップ１０１）。ここで取得する色値は、モニタ１５で白色画像を表示したときの色値、モニタ１５で黒色画像を表示したときの色値、およびモニタ１５で主要色であるＲＧＢ各色の飽和色を表示したときの色値となる。本実施の形態では、色値取得部１３１による色値の取得は、例えば色調整システム１を管理する管理者が、Ｌ＊ａ＊ｂ＊表色系によるＬ＊、ａ＊、ｂ＊の各値やＸＹＺ表色系によるＸＹＺの各値を色調整装置１００に入力することで行なわれる。
【００３５】
次に特性値導出部１３２が、色値取得部１３１で取得した色値から、モニタ１５で黒色画像を表示させたときの輝度（黒輝度）、モニタ１５で白色画像を表示させたときの色温度、モニタ１５の色域形状を予め定められた特性値として導出する（ステップ１０２）。
ここで黒輝度は、黒色画像を表示したときのＬ＊値またはＹ値である。また白色画像を表示させたときの色温度は、白色画像のＸ値、Ｙ値、Ｚ値から導出できる。さらに色域形状は、ＲＧＢ各色の飽和色を表示したときのａ＊値およびｂ＊値、またはＸ値、Ｙ値、Ｚ値から導出できる。
【００３６】
次に補正項目選択部１３３が、特性値導出部１３２により導出された特性値の中から、モニタ１５の画像を色調整するための共通の補正項目を選択する（ステップ１０３）。
ここでは特性値としての黒輝度、色温度、色域形状の値を、モニタ１５毎に比較する。そしてこれらの値のばらつきが予め定められた値より大きかった場合に、その特性値が、補正項目として選択される。なおこれらの値のばらつきが予め定められた値以下だった場合、この特性値に関しては、選択されない。
【００３７】
そして目標特性値設定部１３４が、補正項目選択部１３３により選択された補正項目について、モニタ１５にて画像を色調整するときの共通目標となる特性値である目標特性値を設定する（ステップ１０４）。この目標特性値は、詳しくは後述するが、予め定められた方法により算出して設定してもよく、管理者の入力により設定してもよい。
【００３８】
さらに補正係数導出部１３５が、目標特性値設定部１３４により設定された目標特性値に特性値を補正するための補正係数を導出する（ステップ１０５）。この補正係数についてもそれぞれのモニタ１５に共通の補正係数となる。なおステップ１０４およびステップ１０５については、この後詳述する。
【００３９】
最後に第１の色変換プロファイル導出部１３６が、補正係数導出部１３５により導出された補正係数を基に、モニタ１５に色調整を行なうために入力画像信号を変換する共通の変換関係である第１の色変換プロファイルを作成する（ステップ１０６）。
この第１の色変換プロファイルは、第１色変換部１１０で入力画像信号を変換するのに使用され、例えばＲＧＢ色信号をＸＹＺ色信号に変換する。
【００４０】
このように本実施の形態では、モニタ１５に色調整を行なうための種々のデバイス特性の中から黒輝度、色温度、色域形状を選び、この中でモニタ１５毎にばらつきが大きいものについて、共通の補正係数を作成し、この補正係数を基にした共通の第１の色変換プロファイルを使用して、第１色変換部１１０による１回目の色変換を行なう。この３つのデバイス特性を選んだのは、これがモニタ１５の色表現に影響を与えやすいものであり、この３つのデバイス特性を共通の第１の色変換プロファイルを用いて合わせることで、モニタ１５の色表現をまず概略的に調整することができる。
【００４１】
さらにこの場合、出力側のモニタ１５のデバイス特性を入力側の入力画像信号に取り込むことができるため、第１色変換部１１０を通過した時点で、この入力画像信号は、モニタ１５毎にほぼ同様の色表現を行なうことができるようになっている。なおさらに細かな調整は、上記３つのデバイス特性とは異なるデバイス特性を用い、各モニタ１５毎に異なる第２の色変換プロファイルを使用して、第２色変換部１２０による２回目の色変換を行なうことで行なう。このように２段階で、色調整を行なうことで、モニタ１５毎のデバイス特性の差がもともと大きい場合でも、より精度の高い色調整をより容易に行なうことができ、それぞれのモニタ１５の色表現がより同様となりやすくなる。なおモニタ１５のデバイス特性に、もともとあまり差がない場合、例えば、各モニタ１５が同じ製造者の同じ型番のものであった場合などは、第２色変換部１２０および第２色変換プロファイル作成部１４０は、必ずしも必要ではない。なお第２色変換部１２０で色変換を行なうのに使用される第２の色変換プロファイルは、デバイス特性として、例えば、モニタ１５で白色画像を表示させたときの輝度、モニタ１５で黒色画像を表示させたときの色味（彩度や色相）、主要色の色相角などを補正するためのものである。
【００４２】
次に図５のステップ１０４およびステップ１０５の処理についてさらに詳しく説明する。
図６は、補正項目選択部１３３により黒輝度が補正項目として選択された場合に、目標特性値設定部１３４が、この黒輝度について目標特性値を設定する手順を説明した図である。つまり図６では、黒輝度についてのステップ１０４の動作を説明している。
【００４３】
まず目標特性値設定部１３４は、各モニタ１５についての黒輝度の値を取得する（ステップ２０１）。そしてこの各モニタ１５毎の黒輝度の値から、黒輝度について目標特性値を設定する。この目標特性値を設定するには、黒輝度の各値を単に平均してもよいが、本実施の形態では、モニタ１５が使用される頻度を反映した重み付けをして目標特性値を設定する。
【００４４】
この場合、目標特性値設定部１３４は、モニタ１５が使用される頻度についてのパラメータである重みｗをまず取得し（ステップ２０２）、この重みｗを使用して目標特性値を設定する（ステップ２０３）。この重みｗは、例えば、色調整システム１の管理者が入力を行ない、それを目標特性値設定部１３４が取得することで行なわれる。
【００４５】
より具体的には、モニタ１５がｎ台あり、それぞれのモニタ１５の黒輝度をＹｋ、重みｗをｗｋで表わす（ただし、ｋ＝１、２、３、…、ｎ）。そしてこの場合の黒輝度の目標特性値は、以下の（１）式で算出することができる。
【００４６】
（黒輝度の目標特性値）＝Σ（Ｙｋ×ｗｋ）／Σｗｋ  （ｋ＝１、２、３、…、ｎ）  …（１）
【００４７】
そして本実施の形態では、ステップ１０５において補正係数導出部１３５が算出する補正係数は、本実施の形態のように黒輝度を変更する場合は、入力画像信号の輝度値（例えば、Ｌ＊値やＹ値）に対する補正係数となる。ここでは例えば、輝度値が小さいほど補正量を大きく、また輝度値が大きいほど補正量を小さくするように設定する。つまり黒色を表示したときに対応する最小輝度値をとる黒輝度の値については、この目標特性値になるように補正係数を設定する。一方、白色を表示したときに対応する最大輝度値については、補正はしない。そしてその間の輝度値については、輝度値が小さく黒色に近くなるほど補正量が大きく、輝度値が大きく白色に近くなるほど補正量が小さくなる。
【００４８】
図７は、補正項目選択部１３３により色温度が補正項目として選択された場合に、目標特性値設定部１３４が、この色温度について目標特性値を設定する手順を説明した図である。つまり図７では、色温度についてのステップ１０４の動作を説明している。
【００４９】
まず目標特性値設定部１３４は、各モニタ１５について設定可能な色温度の範囲を取得する（ステップ３０１）。実際には、目標特性値設定部１３４は各モニタ１５について設定可能な色温度の上限値と下限値を取得する。この設定可能な色温度の上限値と下限値は、例えば、色調整システム１の管理者がモニタ１５の設定メニューや仕様書等を参照することでわかる。そして管理者は、参照した結果について入力を行ない、目標特性値設定部１３４は、これを取得する。
【００５０】
各モニタ１５毎に設定可能な色温度の範囲から、色温度についての目標特性値を設定するには、例えば、以下のようにして行なう。
【００５１】
管理者は、設定可能な色温度の上限値と下限値の入力を行なう際に、希望する色温度についても入力を行ない、目標特性値設定部１３４が、この希望色温度を取得する（ステップ３０２）。次に目標特性値設定部１３４は、この希望色温度が、各モニタ１５で設定可能な色温度の範囲である上限値と下限値の間に入っているか否かを判定する（ステップ３０３）。そして入っていた場合（ステップ３０３でＹｅｓ）は、この希望色温度を色温度についての目標特性値とする（ステップ３０４）。一方、入っていなかった場合（ステップ３０３でＮｏ）は、希望色温度を変更して目標特性値を設定する（ステップ３０５）。
【００５２】
ここでステップ３０３〜ステップ３０５については、具体的には、以下のようにする。
図８は、モニタ１５で設定できる色温度の上限値と下限値の例を示した図である。
図示するようにここでは、「device No.」が１〜４の４台のモニタ１５があるものとし、その色温度の上限値と下限値を絶対温度で示している。「device No.」が１〜４の各モニタ１５は、例えば、画像表示装置１０ａ、１０ｂ、１０ｃ、１０ｄに備えられる各モニタ１５に対応する。
【００５３】
このとき希望色温度が６０００Ｋだった場合は、４台のモニタ１５全てで設定可能な色温度であるため、目標特性値設定部１３４は、この６０００Ｋを目標特性値とする。一方、希望色温度が４５００Ｋだったときには、この希望色温度は、「device No.２」と「device No.３」のモニタ１５について設定できる色温度の下限値からさらに低い温度側に外れている。そして希望色温度と「device No.３」の色温度の下限値の差は、１０００Ｋとなり、差が５００Ｋの「device No.２」より大きい。このとき目標特性値設定部１３４は、「device No.３」の設定範囲の下限値との差が、予め定められた範囲内となるように色温度の目標特性値を設定する。この場合、例えば、色温度の目標特性値を５５００Ｋより５００Ｋ低い５０００Ｋとする。このように目標特性値設定部１３４は、希望色温度が、モニタ１５で設定できる色温度の範囲から外れていた場合、この範囲の上限値または下限値と希望色温度の差が最も大きいモニタ１５を選択する。そしてこのモニタ１５の上限値または下限値から５００Ｋ以内となる色温度を目標特性値として設定する。
【００５４】
なおモニタ１５のメニュー等で設定可能な範囲の色温度を外して、色温度の目標特性値を設定したとしても、モニタ１５のＲＧＢ各色の出力を変更することで、目標特性値の色温度で画像を表示することは通常可能である。つまり色温度を下げたい場合、画像の色は、赤味が強くなるようにする必要があるが、これには、Ｒ色よりＢ色の階調カーブを下げ、Ｂ色よりＲ色を相対的に強く発光させることで、実現することができる。一方、色温度を上げたい場合、画像の色は、青味が強くなるようにする必要があるが、これには、Ｂ色よりＲ色の階調カーブを下げ、Ｒ色よりＢ色を相対的に強く発光させることで、実現することができる。ただし、上記上限値や下限値より大きく外れる場合は、ＲＧＢ各色のバランスがくずれ、階調が表示しにくくなるなどの問題が生じるため、上記のように上限値または下限値より予め定められた範囲内となるように目標特性値を設定する。
【００５５】
なお本実施の形態では、ステップ１０５において補正係数導出部１３５が算出する補正係数は、例えば入力画像信号に対する色補正係数である。より具体的には、本実施の形態のように色温度を変更する場合は、例えばａ＊、ｂ＊の値やＸ、Ｙ、Ｚの値を補正する補正係数となる。
【００５６】
図９は、補正項目選択部１３３により色域形状が補正項目として選択された場合に、目標特性値設定部１３４が、色域形状について目標特性値を設定する手順を説明した図である。つまり図９では、色域形状についてのステップ１０４の動作を説明している。
【００５７】
まず目標特性値設定部１３４は、各モニタ１５について主要色であるＲＧＢ各色の飽和色を表示したときの色値を取得する（ステップ４０１）。ここでは例えば、ＲＧＢ各色の飽和色を表示したときの色値をａ＊値およびｂ＊値として取得する。そしてこのａ＊値およびｂ＊値から、色域形状についての目標特性値を設定するには、例えば、以下のようにして行なう。
【００５８】
この色域形状についての目標特性値を設定するには、各モニタ１５のＲＧＢ各色の飽和色を表示したときのａ＊値およびｂ＊値の各値を単に平均してもよいが、本実施の形態では、図６で説明したのと同様に、モニタ１５が使用される頻度を反映した重み付けをして目標特性値を設定する。
この場合、目標特性値設定部１３４は、モニタ１５が使用される頻度についてのパラメータである重みｗをまず取得し（ステップ４０２）、この重みｗを使用して色域形状についての目標特性値を算出する（ステップ４０３）。そしてこれにより得られた色域形状を目標特性値とする。この重みｗについて、例えば、色調整システム１の管理者が入力を行なうのは、図６の場合と同様である。
【００５９】
そして目標特性値として算出された色域が、各モニタ１５の色域に含まれるか否かを判定する（ステップ４０４）。そして含まれる場合（ステップ４０４でＹｅｓ）は、ステップ４０３で算出された目標特性値をそのまま色域形状についての目標特性値とする（ステップ４０５）。一方、含まれないモニタ１５があった場合（ステップ４０４でＮｏ）は、ステップ４０３で算出された目標特性値を変更して新たな目標特性値を設定する（ステップ４０６）。
【００６０】
この新たな目標特性値を設定する方法は例えば、以下のような方法がある。
（i）ステップ４０３で設定されたａ＊値およびｂ＊値と、各モニタ１５の各主要色毎のａ＊値およびｂ＊値とで重み付け平均を計算する。
（ii）ステップ４０３で設定されたａ＊値およびｂ＊値から色相は維持するようにして、彩度を各モニタ１５の平均の彩度にする。
（iii）ステップ４０３で設定されたａ＊値およびｂ＊値と、各モニタ１５の平均のａ＊値およびｂ＊値の間の値から適当な値を選択する。
【００６１】
なお本実施の形態では、ステップ１０５において補正係数導出部１３５が算出する補正係数は、例えば入力画像信号に対する色補正係数である。より具体的には、本実施の形態のように色域形状を変更する場合は、例えばａ＊、ｂ＊の値やＸ、Ｙ、Ｚの値を補正する補正係数となる。
【００６２】
なお以上詳述した例では、上記のようにして作成した第１の色変換プロファイルは、モニタ１５相互の色合わせに使用していたがこれに限られるものではない。例えば、この第１の色変換プロファイルを作成する手法は、電子写真方式やインクジェット方式により記録材に画像を形成するプリンタ等の画像形成装置に対しても応用が可能である。即ち、入力画像信号を画像形成装置に依存する色空間に色変換して出力画像信号とし、この出力画像信号にて画像形成を行なう画像形成装置に対し、この入力画像信号の色変換に上記の色調整装置１００が使用できる。そしてこの色調整装置１００を使用することで、モニタ１５と画像形成装置との色表現がより合わせやすくなる。
【００６３】
また以上詳述した例では、端末装置１０に内蔵する形態で色調整装置１００を設けていたが、色調整装置１００を端末装置１０と別体とし、単独の装置としてもよい。
図１０は、本実施の形態の色調整装置についての機能構成例の他の場合を説明した図である。
図示した色調整装置１００は、第１色変換プロファイル作成部１３０および第２色変換プロファイル作成部１４０が独立し、色調整装置１００となるようにしている。
【００６４】
なお本実施の形態では、色値取得部１３１で色値を取得するモニタ１５と色調整を行なうモニタ１５とは同一であることを前提として説明を行なったが、これに限られるものではない。つまり本実施の形態において、第１の色変換プロファイルは、入力画像信号をどのように定義するかを決定するものである。そして上述したように第１色変換部１１０で入力画像信号を変換し、これを新たな入力画像信号として利用することで、モニタ１５毎にほぼ同様の色表現を行なうことができるようになる。そのため第１の色変換プロファイルを作成するのに色値を取得するモニタ１５のデバイス特性を利用するが、この第１の色変換プロファイルは、色値を取得したのと異なるモニタ１５の色調整を行なう場合にも適用できるものである。このように本実施の形態の色変換の手法は、作成された第１の色変換プロファイルを使用して、色値を取得したモニタ１５とは異なる他のモニタ１５の色表現を概略的に同様とすることができるという点でも特徴を有する。
【００６５】
そしてこの場合、図４で示した第１色変換プロファイル作成部１３０において、色値取得部１３１は、色値を取得する取得対象のモニタ１５にて予め定められた画像を表示させたときの色値を取得する。また特性値導出部１３２は、色値取得部１３１により取得された色値から、この取得対象のモニタ１５の予め定められた特性値（デバイス特性の値）を導出する。さらに補正項目選択部１３３は、特性値導出部１３２により導出された特性値の中から、色調整を行なう調整対象のモニタ１５の画像を色調整するための共通の補正項目を選択する。さらに目標特性値設定部１３４は、補正項目選択部１３３により選択された補正項目について、調整対象のモニタ１５にて画像を色調整するときの共通目標となる特性値である目標特性値を設定する。さらに補正係数導出部１３５は、目標特性値設定部１３４により設定された目標特性値に特性値を補正するための補正係数を導出する。さらに第１の色変換プロファイル導出部１３６は、補正係数導出部１３５により導出された補正係数を基に、調整対象のモニタ１５に色調整を行なうために入力画像信号を変換する共通の第１の色変換プロファイルを作成する。
なお本実施の形態では、色値の取得を行なうモニタ１５は複数である必要があるが、色調整を行なうモニタ１５は、複数であるとは限らず１台であってもよい。
【００６６】
また本実施の形態では、モニタ１５に色調整を行なうための種々のデバイス特性の１つとして黒輝度を挙げたが、例えば、この替わりにまたはこれと共にモニタ１５にて白色画像を表示させたときの輝度（白輝度）を使用してもよい。この場合、ここで白輝度は、モニタ１５で色画像を表示したときのＬ＊値またはＹ値である。そして白輝度についての目標特性値は、黒輝度の場合と同様の方法で導出することができる。
【００６７】
また本実施の形態における色調整装置１００が行なう処理は、例えば、端末装置１０のＣＰＵ１１が、ＨＤＤ１３等に記憶された各種プログラムをメインメモリ１２にロードして実行することにより行なわれる。つまり色調整装置１００が行なう処理は、実際には端末装置１０で実行される色調整ソフトウェアが行なう。
【００６８】
よって色調整装置１００が行なう処理は、コンピュータに、画像を表示する取得対象のモニタ１５にて予め定められた画像を表示させたときの色値を取得する機能と、取得された色値から、取得対象のモニタ１５の予め定められた特性値を導出する機能と、導出された特性値の中から、調整対象のモニタ１５の画像を色調整するための共通の補正項目を選択する機能と、選択された補正項目について、調整対象のモニタ１５にて画像を色調整するときの共通目標となる特性値である目標特性値を設定する機能と、設定された目標特性値に特性値を補正するための共通の補正係数を導出する機能と、導出された補正係数を基に、調整対象のモニタ１５の画像の色調整を行なうために入力画像信号を変換する共通の変換関係を作成する機能と、を実現させるプログラムとして捉えることもできる。
【００６９】
なお、本実施の形態を実現するプログラムは、通信手段により提供することはもちろん、ＣＤ−ＲＯＭ等の記録媒体に格納して提供することも可能である。
【符号の説明】
【００７０】
１…色調整システム、１０…端末装置、１５…モニタ、１００…色調整装置、１１０…第１色変換部、１２０…第２色変換部、１３０…第１色変換プロファイル作成部、１３１…色値取得部、１３２…特性値導出部、１３３…補正項目選択部、１３４…目標特性値設定部、１３５…補正係数導出部、１３６…第１の色変換プロファイル導出部、１４０…第２色変換プロファイル作成部
【要約】
【課題】調整対象の画像表示装置に画像を表示させたときに、色表現を取得対象の画像表示装置により近くすることができる色調整装置等を提供する。
【解決手段】取得対象のモニタの色値を取得する色値取得部１３１と、色値から取得対象のモニタの特性値を導出する特性値導出部１３２と、特性値の中から調整対象のモニタの画像を色調整するための共通の補正項目を選択する補正項目選択部１３３と、選択された補正項目について調整対象のモニタにて画像を色調整するときの共通目標となる目標特性値を設定する目標特性値設定部１３４と、目標特性値に特性値を補正するための共通の補正係数を導出する補正係数導出部１３５と、調整対象のモニタの画像の色調整を行なうために入力画像信号を変換する共通の第１の色変換プロファイルを作成する第１の色変換プロファイル導出部１３６と、を備えることを特徴とする色調整装置。
【選択図】図４【図１】
0005282833.tif 000002
【図２】
0005282833.tif 000003
【図３】
0005282833.tif 000004
【図４】
0005282833.tif 000005
【図５】
0005282833.tif 000006
【図６】
0005282833.tif 000007
【図７】
0005282833.tif 000008
【図８】
0005282833.tif 000009
【図９】
0005282833.tif 000010
【図１０】
0005282833.tif 000011